(57)【特許請求の範囲】
【請求項１】
有底を有する円筒部材からなり、前記円筒部材に完全に収納された状態での電力ヒューズの電極に対向する位置の前記円筒部材の内周面に固定側電極が取り付けられた電力ヒューズ収納本体と、
継手部材の長手方向の一端に、前記長手方向に前記電力ヒューズを向けた状態で電力ヒューズの片方の電極が着脱自在に把持されるように形成され、かつ、把持される電力ヒューズの電極と接触して導通させると共に、前記円筒部材の開口側の固定側電極の内周方向に亘って接触させるトロイダルコイル状の可動側電極を外周に巻き付けた電極把持部材が取り付けられ、前記継手部材の長手方向の他端に前記電力ヒューズ収納本体の開口部を閉鎖する蓋部材が取り付けられた電力ヒューズ把持本体とを備えた電力用ヒューズホルダにおいて、
前記電力ヒューズ収納本体に挿入された前記電力ヒューズ把持本体に、前記電力ヒューズの中心線の延長線周りの回転力を人為的に与えることにより、前記固定側電極の内周側で前記可動側電極を周方向に撓ませながら前記固定側電極に嵌め込ませるように、前記電力ヒューズ把持本体を前記電力ヒューズの中心線の延長線周りに回転させながら前記電力ヒューズ把持本体の長手方向に直線移動させる電力ヒューズ把持本体回転・直線移動機構を備えた電力用ヒューズホルダ。
【請求項２】
前記電力ヒューズ把持本体の所定回転後に、前記電力ヒューズ把持本体が電力ヒューズ収納本体に完全に収納された状態を持続保持させる電力ヒューズ把持本体ロック機構がさらに設けられている請求項１に記載の電力用ヒューズホルダ。
【請求項３】
前記電力ヒューズ把持本体回転・直線移動機構は可動部と固定部とを備え、
前記可動部は電力ヒューズ把持本体に形成された蓋部材の外面平坦部に設けられ、前記電力ヒューズの中心線の延長線に対し、２点で軸支させる第１及び第２の起立部を有して対照的にかつ同一軸線上に配置され、前記第１及び第２の起立部が前記外面平坦部に沿って外側寄り及び内側寄りにそれぞれ取り付けられた第１及び第２の軸支持部材と、
頭部と軸部とをそれぞれ有し、前記軸支持部材に軸支された状態で頭部が前記外面平坦部に沿って外側寄りに配置され、前記頭部には頂部のない台形状円錐体の頂部状側かつ軸方向に突起部が形成され、前記軸部の端部には円柱部が形成され、前記頭部と円柱部との間の軸部には略四角柱部が形成されて前記軸支持部材にスライド自在となると共に、前記略四角柱部の角部が円柱の一部として形成されて前記軸支持部材に回転自在となるようにそれぞれ取り付けられた第１及び第２の軸部材と、
前記第１の軸部材の頭部と前記第１の軸支持部材の第１の起立部との間の前記第１の軸部材、及び前記第２の軸部材の前記頭部と第２の軸支持部材の第１の起立部との間の前記第２の軸部材にそれぞれ挿入された第１及び第２のコイルバネと、
一端及び他端に設けられた四角孔に前記第１及び第２の軸部材の略四角柱部が軸部材の軸方向にスライド自在となるように前記第１及び第２の軸部材にそれぞれ取り付けられ、前記一端及び他端が前記第１及び第２の軸支持部材のそれぞれの前記第１の起立部の内側面を摺動するように形成または配置されたハンドルと、
コ字状またはＬ字状に形成された軸部材止め部及び軸支持部材係止部とを有し、前記軸支持部材係止部の端部が前記軸部材の頭部側に向けて配置されると共に、前記軸部材止め部及び軸支持部材係止部により形成された空間に前記軸支持部材の第２の起立部が入るようにそれぞれ配置され、前記軸部材止め部で前記軸部材が回転自在となるように前記軸部材の円柱部にそれぞれ取り付けられた第１及び第２の内側ハンドルロック用部材と、
前記内側ハンドルロック用部材の軸支持部材係止部の外側にそれぞれ取り付けられた第１及び第２の外側ハンドルロック用部材とを備え、
前記固定部は前記電力ヒューズ収納本体が取り付けられるケース側に押さえて取り付けるための押さえ板に形成され、前記押さえ板の平行な辺からそれぞれ、前記押さえ板から遠ざかる側に起立すると共に、前記電力ヒューズ収納本体の中心線に対して対向配置された第１及び第２の起立ガイド板を有し、前記第１及び第２の起立ガイド板に、終端が設けられた平行状傾斜部を有する電力ヒューズ把持本体回転・直線移動用切り欠きが押さえ板から遠ざかる側の端部から押さえ板側へ相異なる方向にそれぞれ形成されると共に、平行状直線部の幅が突起部の横断面に対応させてそれぞれ形成された軸ガイド部材を備え、
前記可動部が前記第１及び第２の起立ガイド板間に配置された状態で、前記突起部が前記電力ヒューズ把持本体回転・直線移動用切り欠きにそれぞれ係合することにより、前記可動部が固定部に結合され、
前記電力ヒューズ把持本体の回転時に前記突起部が前記電力ヒューズ把持本体回転・直線移動用切り欠きの平行状傾斜部に沿って係合しながら移動する際に、前記ハンドルを前記外面平坦部に起立保持させるために、前記内側ハンドルロック用部材の軸支持部材係止部の内側面に前記軸支持部材の第２の起立部の側部が係止されるように、前記内側ハンドルロック用部材と前記軸支持部材との配置関係、前記内側ハンドルロック用部材の形状及び前記軸支持部材の形状の少なくとも１つが設定されると共に、前記ハンドルの一端及び他端が前記外側ハンドルロック用部材の前記内側ハンドルロック用部材側面にそれぞれ係止されるように、前記ハンドルと前記外側ハンドルロック用部材との配置関係、前記ハンドルの形状及び前記外側ハンドルロック用部材の形状の少なくとも１つが設定され、
前記突起部が前記電力ヒューズ把持本体回転・直線移動用切り欠きの平行状傾斜部に沿って係合しながら移動する際に、撓んで変形した前記可動側電極が前記固定側電極に嵌まり込んだ状態に配置されるように、前記軸ガイド部材、電力ヒューズ把持本体回転・直線移動用切り欠きの形状、及び可動側電極または固定側電極の形状または配置の少なくとも１つが設定されている請求項１または２に記載の電力用ヒューズホルダ。
【請求項４】
前記電力ヒューズ把持本体回転・直線移動機構と前記電力ヒューズ把持本体ロック機構とが一体的に形成された電力ヒューズ把持本体機構は可動部と固定部とを備え、
前記可動部は電力ヒューズ把持本体に形成された蓋部材の外面平坦部に設けられ、前記電力ヒューズの中心線の延長線に対し、２点で軸支させる第１及び第２の起立部を有して対照的かつ同一軸線上に配置され、前記第１及び第２の起立部が前記外面平坦部に沿って外側寄り及び内側寄りにそれぞれ取り付けられた第１及び第２の軸支持部材と、
頭部と軸部とをそれぞれ有し、前記軸支持部材に軸支された状態で頭部が前記外面平坦部に沿って外側寄りに配置され、前記頭部には頂部のない台形状円錐体の頂部状側かつ軸方向に半割円柱の突起部が形成され、前記軸部の端部には円柱部が形成され、前記頭部と円柱部との間の軸部には略四角柱部が形成されて前記軸支持部材にスライド自在となると共に、前記略四角柱部の角部が円柱の一部として形成されて前記軸支持部材に回転自在となるようにそれぞれ取り付けられた第１及び第２の軸部材と、
前記第１の軸部材の頭部と前記第１の軸支持部材の第１の起立部との間の前記第１の軸部材、及び前記第２の軸部材の頭部と前記第２の軸支持部材の第１の起立部との間の前記第２の軸部材にそれぞれ挿入された第１及び第２のコイルバネと、
一端及び他端に設けられた四角孔に前記第１及び第２の軸部材の略四角柱部が軸部材の軸方向にスライド自在となるように前記第１及び第２の軸部材にそれぞれ取り付けられ、前記一端及び他端が前記第１及び第２の軸支持部材のそれぞれの前記第１の起立部の内側面を摺動するように形成または配置されたハンドルと、
コ字状またはＬ字状に形成された軸部材止め部及び軸支持部材係止部とを有し、前記軸支持部材係止部の端部が前記軸部材の頭部側に向けて配置されると共に、前記軸部材止め部及び軸支持部材係止部により形成された空間に前記軸支持部材の第２の起立部が入るようにそれぞれ配置され、前記軸部材止め部で前記軸部材が回転自在となるように前記軸部材の円柱部にそれぞれ取り付けられた第１及び第２の内側ハンドルロック用部材と、
前記内側ハンドルロック用部材の軸支持部材係止部の外側にそれぞれ取り付けられた第１及び第２の外側ハンドルロック用部材とを備え、
前記固定部は前記電力ヒューズ収納本体が取り付けられるケース側に押さえて取り付けるための押さえ板に形成され、前記押さえ板の平行な辺からそれぞれ、前記押さえ板から遠ざかる側に起立すると共に、前記電力ヒューズ収納本体の中心線に対して対向配置された第１及び第２の起立ガイド板を有する第１の軸ガイド部材と、
前記押さえ板から遠ざかる側にそれぞれずらせて前記第１及び第２の起立ガイド板の外側面に取り付けられた第１及び第２のガイド板を有する第２の軸ガイド部材とを備え、
前記第１及び第２のガイド板には、電力ヒューズ把持本体回転・直線移動用切り欠きが押さえ板から遠ざかる側の端部から、前記押さえ板から遠ざかる側の前記第１及び第２の起立ガイド板の端部まで、前記押さえ板側へ相異なる方向に終端が開放された平行状傾斜部とを有してそれぞれ形成されると共に、前記平行状傾斜部の幅が突起部の直径に対応させてそれぞれ形成され、
前記第１の起立ガイド板と第１のガイド板及び前記第２の起立ガイド板と第２のガイド板との重なり部分には、前記電力ヒューズ把持本体回転・直線移動用切り欠きと連続する電力ヒューズ把持本体ロック用切り欠きがそれぞれ同じ箇所で押さえ板側へ形成され、
前記電力ヒューズ把持本体ロック用切り欠きは、平行状直線部と半円状部とを有して押さえ板側へ順次に連続して袋状に形成され、前記半円状部は半径分直線部と半円部とを有し、前記半円部の円弧部が前記押さえ板側に、前記半径分直線部が前記押さえ板から遠ざかる側に、かつ、前記半円部の上側に位置されるように形成され、
前記可動部が前記第１及び第２のガイド板間に配置された状態で、前記突起部が前記電力ヒューズ把持本体回転・直線移動用切り欠きにそれぞれ係合し、前記第１及び第２の起立ガイド板間に配置された状態で、前記突起部が前記電力ヒューズ把持本体ロック用切り欠きに係合することにより、前記可動部が固定部に結合され、
前記電力ヒューズ把持本体の回転、押し込み時に前記突起部が前記電力ヒューズ把持本体回転・直線移動用切り欠きの平行状傾斜部及び前記電力ヒューズ把持本体ロック用切り欠きの平行状直線部に沿って係合しながら移動する際に、前記ハンドルを前記外面平坦部に起立保持させるために、前記内側ハンドルロック用部材の軸支持部材係止部の内側面に前記軸支持部材の第２の起立部の側部が係止されるように、前記内側ハンドルロック用部材と前記軸支持部材との配置関係、前記内側ハンドルロック用部材の形状及び前記軸支持部材の形状の少なくとも１つが設定されると共に、前記ハンドルの一端及び他端が前記外側ハンドルロック用部材の前記内側ハンドルロック用部材側面にそれぞれ係止されるように、前記ハンドルと前記外側ハンドルロック用部材との配置関係、前記ハンドルの形状及び前記外側ハンドルロック用部材の形状の少なくとも１つが設定され、
前記突起部が前記電力ヒューズ把持本体回転・直線移動用切り欠きの平行状傾斜部に沿って係合しながら移動する際に、撓んで変形した前記可動側電極が前記固定側電極に嵌まり込んだ状態に配置されるように、前記第１の軸ガイド部材、第２の軸ガイド部材、電力ヒューズ把持本体回転・直線移動用切り欠きの形状、及び可動側電極または固定側電極の形状または配置の少なくとも１つが設定され、
前記突起部が前記電力ヒューズ把持本体ロック用切り欠きの平行状直線部に沿って係合しながら移動する際に、前記ハンドルの一端及び他端を前記外側ハンドルロック用部材の前記内側ハンドルロック用部材側面にそれぞれ係止させていた状態が解除されるように、前記ハンドルの一端の内側面と前記第１の外側ハンドルロック用部材の前記軸部材の頭部側の端面との前記第１の軸部材の軸方向分長さ、及び前記ハンドルの他端の内側面と前記第２の外側ハンドルロック用部材の前記軸部材の頭部側の端面との前記第２の軸部材の軸方向分長さが設定され、
前記係止させていた状態が解除されるまで、前記突起部の半割面が上側となるように前記ハンドルと前記軸部材との配置関係が設定され、
前記係止させていた状態が解除された後、前記ハンドルから手を離した際に、前記可動部を前記固定部にロックさせるために、前記ハンドルから手を離した際に軸回転された前記突起部の半割面が前記電力ヒューズ把持本体ロック用切り欠きの半径分直線部に突き当たるように、前記電力ヒューズ把持本体ロック用切り欠きの平行状直線部の幅が設定されると共に、前記半円部の大きさが設定されている請求項２に記載の電力用ヒューズホルダ。
【請求項５】
前記電極把持部材は、前記電力ヒューズの電極が挿入されるように円筒部を有し、前記電極の円弧面の一部に沿った形状に形成されると共に、前記電極の円弧面の一部に沿った形状に形成される面を前記電極に当接させた状態で、前記電極側にネジ締めにより変位されて前記電極を把持させる電極押さえ部材を備え、
前記ネジ締めされるように前記円筒部にネジ孔が貫通して設けられた請求項１ないし４のいずれかに記載の電力用ヒューズホルダ。
【発明の詳細な説明】
【技術分野】
【０００１】
本発明は、電力ヒューズ収納本体と電力ヒューズ把持本体とを備え、電力ヒューズ把持本体が電力ヒューズ収納本体に収納される電力用ヒューズホルダに関するものである。
【背景技術】
【０００２】
電力用変圧器の電源側には通常、過負荷電流や負荷側の短絡事故等による短絡電流から変圧器を保護するために、電力ヒューズが接続されている。この電力ヒューズは、電力用変圧器のケースを貫通させた状態で取り付けられている電力用ヒューズホルダに収納されて保持されている。
【０００３】
図１０（Ａ）は従来の電力用ヒューズホルダを構成する電力ヒューズ収納本体の縦断面図、（Ｂ）は電力用ヒューズホルダを構成する電力ヒューズ把持本体の側面図である。
【０００４】
電力用ヒューズホルダはヒューズ収納本体１′と電力ヒューズ把持本体２′とからなり、図示するように、電力ヒューズ収納本体１′は、有底を有する絶縁性の円筒部材１０１′と第１及び第２の固定側電極１０２ａ′，１０２ｂ′とからなり、円筒部材１０１′の長手方向に沿って完全に収納された状態での電力ヒューズ３の第１（円筒部材１０１′の開口側）の電極３ａに対向する位置の円筒部材１０１′の内周面には、リング状の第１の固定側電極１０２ａ′が取り付けられ、電力ヒューズ３の第２（円筒部材１０１′の底側）の電極３ｂに対向する位置の内周面には、第１の固定側電極１０２ａ′と同構成の第２の固定側電極１０２ｂ′が取り付けられている。
【０００５】
電力ヒューズ把持本体２′は、絶縁性の継手部材２０１′と第１及び第２の電極把持部材２０２ａ′，２０２ｂ′と第１及び第２の可動側電極２０３ａ′，２０３ｂ′と蓋部材２０４′とからなり、継手部材２０１′の長手方向の一端には、その長手方向に電力ヒューズ３を向けた状態で電力ヒューズの片方の電極が着脱自在に把持されるように形成された第１の電極把持部材２０２ａ′が取り付けられ、また、その他端には電力ヒューズ収納本体１′の開口部を閉鎖するように蓋部材２０４′が取り付けられている。第１の電極把持部材２０２ａ′は、筒状に形成された円筒部２０２a1′と、所定の間隔で対向配置されたドーナツ状の２つの円板がその円筒部２０２a1′の外周に適宜に取り付けられた電極保持部２０２a2′とからなり、円筒部２０２a1′にはネジ孔が貫通して設けられており、この円筒部２０２a1′に電力ヒューズ３の電極３ａを挿入して、電極３ａをネジ１０で締め付けることにより、電力ヒューズ３が把持されると共に、電極３ａが円筒部２０２a1′に接触して導通状態となる。また、電極保持部２０２a2′には第１の固定側電極１０２ａ′の内周方向に亘って接触させるトロイダルコイル状の第１の可動側電極２０３ａ′が外周に巻き付けられている。電力ヒューズ３の電極３ｂには、第１の電極把持部材２０２ａ′及び第１の可動側電極２０３ａ′と同構成の第２の電極把持部材２０２ｂ′及び第２の可動側電極２０３ｂ′が第１の電極把持部材２０２ａ′及び第１の可動側電極２０３ａ′と同様に取り付けられている。なお、第１及び第２の可動側電極２０３ａ′，２０３ｂ′は横断面図で示している。このように構成される電力用ヒューズホルダは、例えば、特許文献１に示されている。
【特許文献１】アメリカ特許第４３２１５７６号公報
【発明の開示】
【発明が解決しようとする課題】
【０００６】
従来では、電力ヒューズ把持本体２′を電力ヒューズ収納本体１′に装着させる際には、電力ヒューズ把持本体１′を電力ヒューズ収納本体１′にある程度入り込ませ、第１及び第２の可動側電極２０３ａ′，２０３ｂ′を第１及び第２の固定側電極２０２ａ′，２０２ｂ′にそれぞれ当接させた状態から、第１及び第２の可動側電極２０３ａ′，２０３ｂ′を第１及び第２の固定側電極２０２ａ′，２０２ｂ′にそれぞれ嵌め込ませるために、直接手動または電力用ヒューズホルダに装着された図示しない操作機構を用いて間接手動により、電力ヒューズ把持本体２′を真っ直ぐに押し込むことになる。しかしながら、第１及び第２の可動側電極２０３ａ′，２０３ｂ′の大きさまたは材質の選定を誤ると、第１及び第２の可動側電極を撓ませるのに大きな人力を必要とすることになるため、装着作業が繁雑になると共に、危険性が伴うという問題が生じる。
【０００７】
そこで、上記の問題を解消しようとする場合、第１及び第２の可動側電極２０３ａ′，２０３ｂ′の大きさまたは材質を選定し、トロイダルコイルを撓ませるのに余り大きな人力を必要としないようにすればよいが、このような状態で電力ヒューズ把持本体１′が電力ヒューズ収納本体２′に装着されていると、第１及び第２の可動側電極が第１及び第２の固定側電極２０２ａ′，２０２ｂ′に嵌まり込む程度が緩やかになっていることがあるために、電力ヒューズ把持本体１′が電力ヒューズ収納本体２′から抜け出やすくなるという問題が生じる。
【０００８】
また、電力ヒューズ３を電力ヒューズ把持本体１′に取り付ける際に、ネジ１０の先端で電力ヒューズ３の電極３ａを締め付けるために、電極３ａの表面に傷が付き、腐食またはメッキの剥がれにより通電が不安定になる虞が生じるという問題がある。さらに、電極３ａはプレス材で空洞形成され、強度が比較的低くなっているために、ネジ１０の先端と接触する電極３ａが締付応力集中により変形または貫通し、電力ヒューズ３を破損させる虞が生じるという問題がある。
【０００９】
本発明の目的は、電力ヒューズ把持本体を電力ヒューズ収納本体に装着させる際に、電力ヒューズ把持本体に加える人力を小さくさせるようにした電力用ヒューズホルダを提供することにある。
【００１０】
本発明の他の目的は、装着された電力ヒューズ把持本体が電力ヒューズ収納本体から抜け出さないようにした電力用ヒューズホルダを提供することにある。
【００１１】
本発明のさらに他の目的は、電力ヒューズを電力ヒューズ把持本体に取り付ける際に、電力ヒューズの電極の表面に傷が付かないようにした電力用ヒューズホルダを提供することにある。
【課題を解決するための手段】
【００１２】
第１の発明は、有底を有する円筒部材からなり、円筒部材に完全に収納された状態での電力ヒューズの電極に対向する位置の円筒部材の内周面に固定側電極が取り付けられた電力ヒューズ収納本体と、継手部材の長手方向の一端に、長手方向に電力ヒューズを向けた状態で電力ヒューズの片方の電極が着脱自在に把持されるように形成され、かつ、把持される電力ヒューズの電極と導通させると共に、円筒部材の開口側の固定側電極の内周方向に亘って接触させるトロイダルコイル状の可動側電極を外周に巻き付けた電極把持部材が取り付けられ、継手部材の長手方向の他端に電力ヒューズ収納本体の開口部を閉鎖する蓋部材が取り付けられた電力ヒューズ把持本体とを備えた電力用ヒューズホルダを対象とし、電力ヒューズ収納本体に挿入された電力ヒューズ把持本体に、電力ヒューズの中心線の延長線周りの回転力を人為的に与えることにより、固定側電極の内周側で可動側電極を周方向に撓ませながら固定側電極に嵌め込ませるように、電力ヒューズ把持本体を電力ヒューズの中心線の延長線周りに回転させながら電力ヒューズ把持本体の長手方向に直線移動させる電力ヒューズ把持本体回転・直線移動機構を備えるようにしたものである。
【００１３】
第２の発明は、電力ヒューズ把持本体の所定回転後に、電力ヒューズ把持本体が電力ヒューズ収納本体に完全に収納された状態を持続保持させる電力ヒューズ把持本体ロック機構がさらに設けられるように設定したものである。
【００１４】
第３の発明は、電力ヒューズ把持本体回転・直線移動機構は可動部と固定部とを備え、可動部は電力ヒューズ把持本体に形成された蓋部材の外面平坦部に設けられ、電力ヒューズの中心線の延長線に対し、２点で軸支させる第１及び第２の起立部を有して対照的にかつ同一軸線上に配置され、第１及び第２の起立部が外面平坦部に沿って外側寄り及び内側寄りにそれぞれ取り付けられた第１及び第２の軸支持部材と、頭部と軸部とをそれぞれ有し、軸支持部材に軸支された状態で頭部が外面平坦部に沿って外側寄りに配置され、頭部には頂部のない台形状円錐体の頂部状側かつ軸方向に突起部が形成され、軸部の端部には円柱部が形成され、頭部と円柱部との間の軸部には略四角柱部が形成されて軸支持部材にスライド自在となると共に、略四角柱部の角部が円柱の一部として形成されて軸支持部材に回転自在となるようにそれぞれ取り付けられた第１及び第２の軸部材と、第１の軸部材の頭部と第１の軸支持部材の第１の起立部との間の第１の軸部材、及び第２の軸部材の頭部と第２の軸支持部材の第１の起立部との間の第２の軸部材にそれぞれ挿入された第１及び第２のコイルバネと、一端及び他端に設けられた四角孔に第１及び第２の軸部材の略四角柱部が軸部材の軸方向にスライド自在となるように第１及び第２の軸部材にそれぞれ取り付けられ、一端及び他端が第１及び第２の軸支持部材のそれぞれの第１の起立部の内側面を摺動するように形成または配置されたハンドルと、コ字状またはＬ字状に形成された軸部材止め部及び軸支持部材係止部とを有し、軸支持部材係止部の端部が軸部材の頭部側に向けて配置されると共に、軸部材止め部及び軸支持部材係止部により形成された空間に軸支持部材の第２の起立部が入るようにそれぞれ配置され、軸部材止め部で軸部材が回転自在となるように軸部材の円柱部にそれぞれ取り付けられた第１及び第２の内側ハンドルロック用部材と、内側ハンドルロック用部材の軸支持部材係止部の外側にそれぞれ取り付けられた第１及び第２の外側ハンドルロック用部材とを備え、固定部は電力ヒューズ収納本体が取り付けられるケース側に押さえて取り付けるための押さえ板に形成され、押さえ板の平行な辺からそれぞれ、押さえ板から遠ざかる側に起立すると共に、電力ヒューズ収納本体の中心線に対して対向配置された第１及び第２の起立ガイド板を有し、第１及び第２の起立ガイド板に、終端が設けられた平行状傾斜部を有する電力ヒューズ把持本体回転・直線移動用切り欠きが押さえ板から遠ざかる側の端部から押さえ板側へ相異なる方向にそれぞれ形成されると共に、平行状直線部の幅が突起部の横断面に対応させてそれぞれ形成された軸ガイド部材を備え、可動部が第１及び第２の起立ガイド板間に配置された状態で、突起部が電力ヒューズ把持本体回転・直線移動用切り欠きにそれぞれ係合することにより、可動部が固定部に結合され、電力ヒューズ把持本体の回転時に突起部が電力ヒューズ把持本体回転・直線移動用切り欠きの平行状傾斜部に沿って係合しながら移動する際に、ハンドルを外面平坦部に起立保持させるために、内側ハンドルロック用部材の軸支持部材係止部の内側面に軸支持部材の第２の起立部の側部が係止されるように、内側ハンドルロック用部材と軸支持部材との配置関係、内側ハンドルロック用部材の形状及び軸支持部材の形状の少なくとも１つが設定されると共に、ハンドルの一端及び他端が外側ハンドルロック用部材の内側ハンドルロック用部材側面にそれぞれ係止されるように、ハンドルと外側ハンドルロック用部材との配置関係、ハンドルの形状及び外側ハンドルロック用部材の形状の少なくとも１つが設定され、突起部が電力ヒューズ把持本体回転・直線移動用切り欠きの平行状傾斜部に沿って係合しながら移動する際に、撓んで変形した可動側電極が固定側電極に嵌まり込んだ状態に配置されるように、軸ガイド部材、電力ヒューズ把持本体回転・直線移動用切り欠きの形状、及び可動側電極または固定側電極の形状または配置の少なくとも１つが設定されるようにしたものである。
【００１５】
第４の発明は、電力ヒューズ把持本体回転・直線移動機構と電力ヒューズ把持本体ロック機構とが一体的に形成された電力ヒューズ把持本体機構は可動部と固定部とを備え、可動部は電力ヒューズ把持本体に形成された蓋部材の外面平坦部に設けられ、電力ヒューズの中心線の延長線に対し、２点で軸支させる第１及び第２の起立部を有して対照的かつ同一軸線上に配置され、第１及び第２の起立部が外面平坦部に沿って外側寄り及び内側寄りにそれぞれ取り付けられた第１及び第２の軸支持部材と、頭部と軸部とをそれぞれ有し、軸支持部材に軸支された状態で頭部が外面平坦部に沿って外側寄りに配置され、頭部には頂部のない台形状円錐体の頂部状側かつ軸方向に半割円柱の突起部が形成され、軸部の端部には円柱部が形成され、頭部と円柱部との間の軸部には略四角柱部が形成されて軸支持部材にスライド自在となると共に、略四角柱部の角部が円柱の一部として形成されて軸支持部材に回転自在となるようにそれぞれ取り付けられた第１及び第２の軸部材と、第１の軸部材の頭部と第１の軸支持部材の第１の起立部との間の第１の軸部材、及び第２の軸部材の頭部と第２の軸支持部材の第１の起立部との間の第２の軸部材にそれぞれ挿入された第１及び第２のコイルバネと、一端及び他端に設けられた四角孔に第１及び第２の軸部材の略四角柱部が軸部材の軸方向にスライド自在となるように第１及び第２の軸部材にそれぞれ取り付けられ、一端及び他端が第１及び第２の軸支持部材のそれぞれの第１の起立部の内側面を摺動するように形成または配置されたハンドルと、コ字状またはＬ字状に形成された軸部材止め部及び軸支持部材係止部とを有し、軸支持部材係止部の端部が軸部材の頭部側に向けて配置されると共に、軸部材止め部及び軸支持部材係止部により形成された空間に軸支持部材の第２の起立部が入るようにそれぞれ配置され、軸部材止め部で軸部材が回転自在となるように軸部材の円柱部にそれぞれ取り付けられた第１及び第２の内側ハンドルロック用部材と、内側ハンドルロック用部材の軸支持部材係止部の外側にそれぞれ取り付けられた第１及び第２の外側ハンドルロック用部材とを備え、固定部は電力ヒューズ収納本体が取り付けられるケース側に押さえて取り付けるための押さえ板に形成され、押さえ板の平行な辺からそれぞれ、押さえ板から遠ざかる側に起立すると共に、電力ヒューズ収納本体の中心線に対して対向配置された第１及び第２の起立ガイド板を有する第１の軸ガイド部材と、押さえ板から遠ざかる側にそれぞれずらせて第１及び第２の起立ガイド板の外側面に取り付けられた第１及び第２のガイド板を有する第２の軸ガイド部材とを備え、第１及び第２のガイド板には、電力ヒューズ把持本体回転・直線移動用切り欠きが押さえ板から遠ざかる側の端部から、押さえ板から遠ざかる側の第１及び第２の起立ガイド板の端部まで、押さえ板側へ相異なる方向に終端が開放された平行状傾斜部とを有してそれぞれ形成されると共に、平行状傾斜部の幅が突起部の直径に対応させてそれぞれ形成され、第１の起立ガイド板と第１のガイド板及び第２の起立ガイド板と第２のガイド板との重なり部分には、電力ヒューズ把持本体回転・直線移動用切り欠きと連続する電力ヒューズ把持本体ロック用切り欠きがそれぞれ同じ箇所で押さえ板側へ形成され、電力ヒューズ把持本体ロック用切り欠きは、平行状直線部と半円状部とを有して押さえ板側へ順次に連続して袋状に形成され、半円状部は半径分直線部と半円部とを有し、半円部の円弧部が押さえ板側に、半径分直線部が押さえ板から遠ざかる側に、かつ、半円部の上側に位置されるように形成され、可動部が第１及び第２のガイド板間に配置された状態で、突起部が電力ヒューズ把持本体回転・直線移動用切り欠きにそれぞれ係合し、第１及び第２の起立ガイド板間に配置された状態で、突起部が電力ヒューズ把持本体ロック用切り欠きに係合することにより、可動部が固定部に結合され、電力ヒューズ把持本体の回転、押し込み時に突起部が電力ヒューズ把持本体回転・直線移動用切り欠きの平行状傾斜部及び電力ヒューズ把持本体ロック用切り欠きの平行状直線部に沿って係合しながら移動する際に、ハンドルを外面平坦部に起立保持させるために、内側ハンドルロック用部材の軸支持部材係止部の内側面に軸支持部材の第２の起立部の側部が係止されるように、内側ハンドルロック用部材と軸支持部材との配置関係、内側ハンドルロック用部材の形状及び軸支持部材の形状の少なくとも１つが設定されると共に、ハンドルの一端及び他端が外側ハンドルロック用部材の内側ハンドルロック用部材側面にそれぞれ係止されるように、ハンドルと外側ハンドルロック用部材との配置関係、ハンドルの形状及び外側ハンドルロック用部材の形状の少なくとも１つが設定され、突起部が電力ヒューズ把持本体回転・直線移動用切り欠きの平行状傾斜部に沿って係合しながら移動する際に、撓んで変形した可動側電極が固定側電極に嵌まり込んだ状態に配置されるように、第１の軸ガイド部材、第２の軸ガイド部材、電力ヒューズ把持本体回転・直線移動用切り欠きの形状、及び可動側電極または固定側電極の形状または配置の少なくとも１つが設定され、突起部が電力ヒューズ把持本体ロック用切り欠きの平行状直線部に沿って係合しながら移動する際に、ハンドルの一端及び他端を外側ハンドルロック用部材の内側ハンドルロック用部材側面にそれぞれ係止させていた状態が解除されるように、ハンドルの一端の内側面と第１の外側ハンドルロック用部材の軸部材の頭部側の端面との第１の軸部材の軸方向分長さ、及びハンドルの他端の内側面と第２の外側ハンドルロック用部材の軸部材の頭部側の端面との第２の軸部材の軸方向分長さが設定され、係止させていた状態が解除されるまで、突起部の半割面が上側となるようにハンドルと軸部材との配置関係が設定され、係止させていた状態が解除された後、ハンドルから手を離した際に、可動部を固定部にロックさせるために、ハンドルから手を離した際に軸回転された突起部の半割面が電力ヒューズ把持本体ロック用切り欠きの半径分直線部に突き当たるように、電力ヒューズ把持本体ロック用切り欠きの平行状直線部の幅が設定されると共に、半円部の大きさが設定されるように設定したものである。
【００１６】
第５の発明は、電極把持部材は、電力ヒューズの電極が挿入されるように円筒部を有し、電極の円弧面の一部に沿った形状に形成されると共に、電極の円弧面の一部に沿った形状に形成される面を電極に当接させた状態で、電極側にネジ締めにより変位されて電極を把持させる電極押さえ部材を備え、ネジ締めされるように円筒部にネジ孔が貫通して設けるように設定したものである。
【発明の効果】
【００１７】
以上のように、第１の発明によれば、固定側電極の内周側でトロイダルコイル状の可動側電極を周方向に撓ませながら固定側電極に嵌め込ませるようにしたので、可動側電極を撓ませるのに大きな人力を必要とすることなく、電力ヒューズ把持本体を電力ヒューズ収納本体に装着させることができる。
【００１８】
第２の発明によれば、第１の発明の効果に加え、電力ヒューズ把持本体が電力ヒューズ収納本体に完全に収納された段階で、電力ヒューズ把持本体を電力ヒューズ収納本体にロックさせるようにしたので、電力ヒューズ把持本体が電力ヒューズ収納本体から抜け出すことを防止できる状態を、ハンドルを手前に引いて１／４回転させ、電力ヒューズ把持本体を引き抜くまで、持続させることができる。
【００１９】
第３の発明によれば、第１及び第２の発明の効果に加え、ハンドルを電力ヒューズ把持本体の外面平坦部に起立保持させるようにしたので、電力ヒューズ把持本体の回転操作性を向上させることができる。
【００２０】
第４の発明によれば、第２の発明の効果に加え、電力ヒューズ把持本体回転・直線移動用切り欠き及び電力ヒューズ把持本体ロック用切り欠きを形成するようにしたので、電力ヒューズ把持本体機構の固定部を簡素化させることができる。
【００２１】
第５の発明によれば、第１ないし第４の発明の効果に加え、電極押さえ部材により電極
に当接させた状態で変位させて電極を把持させるようにしたので、電極の表面に傷が付き
、腐食またはメッキの剥がれにより通電の不安定を防止することができ、また、電力ヒューズの破損を防止することができる。
【発明を実施するための最良の形態】
【００２２】
図１（Ａ）は、本発明に係る電力用ヒューズホルダを構成する電力ヒューズ収納本体の一実施形態を示す縦断面図、（Ｂ）は本発明に係る電力用ヒューズホルダを構成する電力ヒューズ把持本体の一実施形態を示す側面図である。
【００２３】
図示するように、電力ヒューズ収納本体１は、有底を有する絶縁性の円筒部材１０１と第１及び第２の固定側電極１０２ａ，１０２ｂとからなり、円筒部材１０１の長手方向に沿って完全に収納された状態での電力ヒューズ３の第１（円筒部材１０１の開口側）の電極３ａに対向する位置の内周面には、例えばリング状の第１の固定側電極１０２ａが取り付けられている。円筒部材１０１の長手方向に沿って完全に収納された状態での電力ヒューズ３の第２（円筒部材１０１の底側）の電極３ｂに対向する位置の内周面には、この第２の電極３ｂを直接接触させるために、例えばチューリップ状に形成された第２の固定側電極１０２ｂが適宜に取り付けられている。この電力ヒューズ収納本体１は、例えば電気機器のケース４を貫通させた状態で、円筒部材１０１の開口側に対応させて形成された電力ヒューズ収納本体１の固定用孔５ａを設けた矩形状の押さえ板５により、ケース４にネジ止めされて取り付けられている。
【００２４】
電力ヒューズ把持本体２は、絶縁性の継手部材２０１と電極把持部材２０２ａと可動側電極２０３と蓋部材２０４とからなり、継手部材２０１の長手方向の一端には、その長手方向に電力ヒューズ３を向けた状態で電力ヒューズ３の片方の電極３ａが着脱自在に把持されるように形成された電極把持部材２０２ａが適宜に取り付けられ、また、その他端には電力ヒューズ収納本体１の開口部を閉鎖するように、蓋部材２０４がネジ止めされて取り付けられている。
【００２５】
電極把持部材２０２ａは、筒状に形成された円筒部２０２a1と、所定の間隔で対向配置されたドーナツ状の２つの円板がその円筒部２０２a1の外周に適宜に取り付けられた電極保持部２０２a2とからなり、この円筒部２０２a1に電力ヒューズ３の電極３ａを挿入して、電極３ａをネジ締めすることにより、電力ヒューズ３が把持されると共に、電極３ａが円筒部２０２a1に接触して導通状態となる。また、電極保持部２０２a2には第１の固定側電極１０２ａの内周方向に亘って接触させるトロイダルコイル状の可動側電極２０３が外周に巻き付けられている。なお、可動側電極２０３は横断面図で示している。
【００２６】
電極把持部材２０２ａはまた、図２に示されるように、円筒部２０２a1の内側に配置され、電極３ａの円弧面の一部に沿った面を有して半割円筒状に形成されると共に、この半割円筒状に形成される内側の面を電極３ａに当接させた状態で、電極３ａ側にネジ締めにより変位されて電極３ａを把持させる電極押さえ部材２０２a3を備えている。
【００２７】
円筒部２０２a1の内周側には、電極押さえ部材２０２a3が入り込めるように、この電極押さえ部材２０２a3の厚み分に相当する切り込みが形成されており、その切り込みの両端は電極押さえ部材２０２a3の両端から円筒部２０２a1の内周側へ徐々に絞られて形成されている。
【００２８】
円筒部２０２a1には、周方向に離隔した２つのネジ孔２０２a11 ，２０２a11 が貫通して設けられており、この円筒部２０２a1に挿入された電極３ａを、電極押さえ部材２０２a3の２箇所をネジ１０，１０でそれぞれ締め付けると、電極押さえ部材２０２a3が変位することにより電極３ａが把持され、図２（Ａ）に示されるネジ締付前の状態が図２（Ｂ）に示されるネジ締付後の状態になる。図２（Ｂ）に示されるネジ締付後の状態では、締め付けが過度とならないように、電極押さえ部材２０２a3が円筒部２０２a1に形成された切り込みの両端部でストップされるようになっている。このように２つのネジ１０，１０でそれぞれ交互に締め付けることにより、電極３ａをバランスよく把持させることができる。
【００２９】
円筒部２０２a1にはまた、電力ヒューズ３を電力ヒューズ把持本体２に取り付ける際に、電極押さえ部材２０２a3が円筒部２０２a1の開口側から脱落することを防止するために、２つのピン１１，１１が円筒部２０２a1の内側に突き出させて取り付けられ、また、２つのピン１１，１１に対応させて電極押さえ部材２０２a3にピン貫通孔２０２a31 がそれぞれ形成されている。このピン貫通孔２０２a31 は電極把持部材２０２ａの変位を許容させるように、電極把持部材２０２ａの周方向へ長孔またはピン１１，１１に対して大きい丸孔に形成されている。このピン１１，１１は、電極押さえ部材２０２a3を円筒部２０２a1に形成された切り込みに入り込ませた状態で取り付けられる。
【００３０】
電力ヒューズ把持本体２に形成された蓋部材２０４の表側には、電力ヒューズ収納本体１に挿入された電力ヒューズ把持本体２に、電力ヒューズ把持本体２に把持される電力ヒューズ３の中心線の延長線周りの回転力を人為的に与えることにより、第１の固定側電極１０２ａの内周側でトロイダルコイル状の可動側電極２０３を周方向に撓ませながら第１の固定側電極１０２ａに嵌め込ませるように、電力ヒューズ把持本体２を電力ヒューズ３の中心線の延長線周りに回転させながら電力ヒューズ把持本体２の長手方向に直線移動させる電力ヒューズ把持本体回転・直線移動機構の可動部が設けられている。また、可動側電極２０３が第１の固定側電極１０２ａに完全に嵌まり込んだ後、電力ヒューズ把持本体２が電力ヒューズ収納本体１から抜け出すことを防止させるために、電力ヒューズ把持本体ロック機構の可動部が設けられている。
【００３１】
電力ヒューズ収納本体２を取り付けるために設けられた押さえ板５には、電力ヒューズ把持本体回転・直線移動機構及び電力ヒューズ把持本体ロック機構の可動部に対応する電力ヒューズ把持本体回転・直線移動機構及び電力ヒューズ把持本体ロック機構の固定部が設けられている。
【００３２】
本実施形態では、電力ヒューズ把持本体回転・直線移動機構に電力ヒューズ把持本体ロック機構をさらに設けているので、これらを一体的に形成した機構を電力ヒューズ把持本体機構という。
【００３３】
電力ヒューズ把持本体機構６は可動部６０と固定部６１とからなり、可動部６０は、図３に示すように電力ヒューズ把持本体２に取り付けられた蓋部材２０４の外面平坦部に設けられており、第１及び第２の軸支持部材６０１ａ，６０１ｂと、第１及び第２の軸部材６０２ａ，６０２ｂと、第１及び第２のコイルバネ６０３ａ，６０３ｂと、ハンドル６０４と、第１及び第２の内側ハンドルロック用部材６０５ａ，６０５ｂと、第１及び第２の外側ハンドルロック用部材６０６ａ，６０６ｂとからなる。
【００３４】
上記の構成部材は、ハンドル６０４を除き、一対からなり、電力ヒューズ３の中心線の延長線に対し、それぞれ対照的に配置されているので、第１の構成部材を主に説明する。なお、括弧内の符号は第２の構成部材を示している。
【００３５】
第１の軸支持部材６０１ａ（６０１ｂ）は、例えば、帯板材をコ字状に形成させており、底部６０１a0（６０１b0）と第１の起立部６０１a1（６０１b1）と第２の起立部６０１a2（６０１b2）とを有し、この第１及び第２の起立部の２点で軸支されように、第１の起立部６０１a1（６０１b1）が蓋部材２０４の外面平坦部に沿って外側寄り、第２の起立部６０１a2（６０１b2）がその内側寄りに配置され、例えばネジ止めされて取り付けられている。
【００３６】
第１の軸部材６０２ａ（６０２ｂ）は、頭部６０２a1（６０２b1）と軸部６０２a2（６０２b2）とを有し、この頭部には、頂部のない台形状円錐体６０２a11（６０２b11）の頂部状側かつ軸方向に半割円柱の突起部６０２a12（６０２b12）が形成され、軸部６０２a2（６０２b2）の端部には、径方向に小さくした段差を設けた円柱部６０２a21（６０２b21）が形成されており、この円柱部の中心線方向にピン取付孔が貫通して設けられている。  
【００３７】
第１の軸部材６０２ａ（６０２ｂ）の頭部６０２a1（６０２b1）と円柱部６０２a21(６０２b21)との間には、略四角柱部６０２a22（６０２b22）が形成され、この略四角柱部の４つの角部が円柱の一部として形成され、第１の軸部材６０２ａ（６０２ｂ）は丸孔が設けられた第１の軸支持部材６０１ａ（６０１ｂ）に回転及びスライド自在となるように取り付けられている。第１及び第２の軸部材６０２ａ，６０２ｂ同士は、同一軸線上に配置され、かつ、第１の頭部６０２a1（６０２b1）が蓋部材２０４の外面平坦部に沿って外側寄りに配置されている。
【００３８】
第１の軸部材６０２ａ（６０２ｂ）の頭部６０２a1（６０２b1）と第１の軸支持部材６０１ａ（６０１ｂ）の第１の起立部６０１a1（６０１b1）との間の第１の軸部材６０２ａ（６０２ｂ）には第１のコイルバネ６０３ａ（６０３ｂ）が挿入されている。なお、これらのバネは縦断面図で示している。
【００３９】
ハンドル６０４は、例えば帯板材をコ字状に形成させており、電力ヒューズ把持本体２の持ち運び時及び装着時に把持され、その一端６０４ａ（他端６０４ｂ）に設けられた四角孔に第１の軸部材６０２ａ（６０２ｂ）の略四角柱部６０２a22（６０２b22）がその軸方向にスライド自在となるように第１の軸部材６０２ａ（６０２ｂ）に取り付けられている。また、ハンドル６０４の一端６０４ａ（他端６０４ｂ）が第１の起立部６０１a1（６０１b1）の内側面を摺動するように形成または配置されている。
【００４０】
第１の内側ハンドルロック用部材６０５ａ（６０５ｂ）は、例えば帯板材をコ字状に形成させており、底部（軸部材止め部）６０５a0（６０５b0）と第１の起立部（軸支持部材係止部）６０５a1（６０５b1）と第２の起立部（軸支持部材係止部）６０５a2（６０５b2）とを有し、その起立方向開口側が第１の軸部材６０２ａ（６０２ｂ）の頭部６０２a1（６０２b1）側に向けて配置されると共に、これらの底部６０５a0（６０５b0）と第１の起立部６０５a1（６０５b1）と第２の起立部６０５a2（６０５b2）とにより形成された空間に第１の軸支持部材６０１ａ（６０１ｂ）の第２の起立部６０１a2（６０１b2）が入るように配置されている。また、丸孔が設けられた底部６０５a0（６０５b0）で第１の軸部材６０２ａ（６０２ｂ）が回転自在となるように、第１の軸部材６０２ａ（６０２ｂ）の円柱部６０２a21（６０２b21）に取り付けられると共に、円柱部６０２a21（６０２b21）から脱落しないように、この円柱部に形成されたピン取付孔に割りピン６０７ａ（６０７ｂ）が挿入されて取り付けられている。
【００４１】
第１の外側ハンドルロック用部材６０６ａ（６０６ｂ）は、例えば帯板材をコ字状に形成させており、底部６０６a0（６０６b0）と第１の起立部６０６a1（６０６b1）と第２の起立部６０６a2（６０６b2）とを有し、その起立方向開口側が第１の軸部材６０２ａ（６０２ｂ）の頭部６０２ａ（６０２ｂ）側に向けて配置されると共に、底部６０６a0（６０６b0）と第１の起立部６０６a1（６０６b1）と第２の起立部６０６a2（６０６b2）とにより形成された空間に第１の内側ハンドルロック用部材６０５ａ（６０５ｂ）が入るように配置され、例えば、第１の起立部６０５a1と第１の起立部６０６a1とが当接された状態で、第１の内側ハンドルロック用部材６０５ａ（６０５ｂ）にネジ止めされて取り付けられている。
【００４２】
したがって、第１の軸部材６０２ａ（６０２ｂ）と第１の内側ハンドルロック用部材６０５ａ（６０５ｂ）と第１の外側ハンドルロック用部材６０６ａ（６０６ｂ）とは、一体的に第１の軸部材６０２ａ（６０２ｂ）の軸方向に移動する。
【００４３】
図３に示されている状態（電力ヒューズ把持本体２が電力ヒューズ収納本体１に装着されていない状態）では、第１のコイルバネ６０３ａ（６０３ｂ）は無圧縮であってもよく、または、軽く圧縮されていてもよい。
【００４４】
固定部６１は、図４に示すように、第１の軸ガイド部材６１１と第２の軸ガイド部材６１２とからなっており、第１の軸ガイド部材６１１は、電力ヒューズ収納本体１をケース４側に押さえて取り付けるための押さえ板５に形成され、その押さえ板５の平行な辺からそれぞれ、押さえ板５から遠ざかる側に起立すると共に、電力ヒューズ収納本体１の中心線の延長線に対して対向配置された、例えば板材が台形状に形成された第１及び第２の起立ガイド板６１１ａ，６１１ｂからなる。
【００４５】
第２の軸ガイド部材６１２は、例えば板材が矩形状に形成された第１及び第２のガイド板６１２ａ，６１２ｂからなり、第１及び第２の起立ガイド板６１１ａ，６１１ｂの外側面に、押さえ板５から遠ざかる側にそれぞれずらせて、例えばネジ止めして取り付けられている。
【００４６】
上記のガイド板及び起立ガイド板は、電力ヒューズ収納本体１の中心線に対し、それぞれ対照的に配置されているので、第１の構成部材を主に説明する。なお、括弧内は第２の構成部材を示している。
【００４７】
第１のガイド板６１２ａ（６１２ｂ）には、電力ヒューズ把持本体２を電力ヒューズ３の中心線の延長線周りに回転させながら電力ヒューズ把持本体２の長手方向に回転させながら直線移動させるために、同形状の電力ヒューズ把持本体回転・直線移動用切り欠き６１２aa（６１２bb）が形成されている。この切り欠きは、押さえ板５から遠ざかる側の端部から、押さえ板から遠ざかる側の第１の起立ガイド板６１１ａ（６１１ｂ）の端部まで、開口部６１２aa1（６１２bb1）と、押さえ板側へ相異なる方向に終端が開放された平行状傾斜部６１２aa2（６１２bb2）とを有して順次に形成されている。
【００４８】
第１の起立ガイド板６１１ａ（６１１ｂ）と第１のガイド板６１２ａ（６１２ｂ）との重なり部分には、電力ヒューズ把持本体２が電力ヒューズ収納本体１から抜け出ることを防止させるために、電力ヒューズ把持本体回転・直線移動用切り欠き６１２aa（６１２bb）と連続する略同形状の電力ヒューズ把持本体ロック用切り欠き６１１aa（６１１bb）が同じ箇所で押さえ板５側へ形成されている。この切り欠きは、狭い平行状直線部６１１aa1（６１１bb1）と、半円状部６１１aa2（６１１bb2）とを有し、押さえ板５側へ順次に連続して袋状に形成される。この半円状部は、半径分直線部６１１aa21（６１１bb21）と半円部６１１aa22（６１１bb22）とを有し、半円部の円弧部が押さえ板５側に、また、半径分直線部６１１aa21（６１１bb21）が押さえ板５から遠ざかる側に、かつ、半円部６１１aa22（６１１bb22）の上側に位置されるように形成されている。
【００４９】
電力ヒューズ把持本体回転・直線移動用切り欠き６１２aa，６１２bbの開口部６１２aa1，６１２bb1同士は、電力ヒューズ収納本体１が押さえ板５によりケース４に取り付けられた状態で、電力ヒューズ収納本体１の中心線の延長線に垂直に交わる斜め直線上を対照的に配置されるように形成されている。
【００５０】
電力ヒューズ把持本体ロック用切り欠き６１１aa，６１１bb同士は、電力ヒューズ収納本体１が押さえ板５によりケース４に取り付けられた状態で、電力ヒューズ収納本体１の中心線の延長線に垂直に交わる水平直線上を対照的に配置されるように形成されている。  
【００５１】
可動部６０を構成する第１の軸部材６０２ａ（６０２ｂ）の突起部６０２a12（６０２b12）の長さは、第１のガイド板６１２ａ（６１２ｂ）の厚み以上としている。
【００５２】
台形状円錐体６０２a11（６０２b11）の高さは、第１の起立ガイド板６１１ａ（６１１ｂ）及び第１のガイド板６１２ａ（６１２ｂ）の厚み以上としている。
【００５３】
電力ヒューズ把持本体回転・直線移動用切り欠き６１２aa（６１２bb）の幅は、第１の軸部材６０２ａ（６０２ｂ）の突起部６０２a12（６０２b12）の直径よりも若干大きくしている。
【００５４】
電力ヒューズ把持本体２の持ち運び時及び装着時には、ハンドル６０４を電力ヒューズ把持本体２に取り付けられた蓋部材２０４の外面平坦部に起立保持させるために、可動部６０は、第１の内側ハンドルロック用部材６０５ａ（６０５ｂ）の第１の起立部（軸支持部材係止部）６０５a1または第２の起立部（軸支持部材係止部）６０５a2の内側面が第１の軸支持部材６０１ａ（６０１ｂ）の第２の起立部６０１a2（６０１b2）の側部に係止されるように、内側ハンドルロック用部材と軸支持部材との配置関係、内側ハンドルロック用部材の形状及び軸支持部材の形状の少なくとも１つが設定されている。
【００５５】
また、ハンドル６０４の一端６０４ａ（他端６０４ｂ）の側部が第１の外側ハンドルロック用部材６０６ａ（６０６ｂ）の第１の起立部６０６a1または第２の起立部６０６a2の内側面に係止されるように、ハンドルと外側ハンドルロック用部材との配置関係、ハンドルの形状及び外側ハンドルロック用部材の形状の少なくとも１つが設定されている。
【００５６】
可動部６０は、対向配置される第１の起立ガイド板６１１ａと第２の起立ガイド板６１１ｂとの間、及び第１のガイド板６１２ａと第２のガイド板６１２ｂとの間に配置された状態で、突起部６０２a12（６０２b12）が電力ヒューズ把持本体回転・直線移動用切り欠き６１２aa（６１２bb）に係合することにより、固定部６１に結合される。
【００５７】
第１の起立ガイド板６１１ａと第２の起立ガイド板６１１ｂとの間隔、また、第１のガイド板６１２ａと第２のガイド板６１２ｂ１との間隔は、電力ヒューズ把持本体１を電力ヒューズ収納本体２に装着させる際に、電力ヒューズ把持本体１の蓋部材２０４が第１の軸ガイド部材６１１及び第２の軸ガイド部材６１２に当たらないように設定されている。  
【００５８】
電力ヒューズ把持本体２を電力ヒューズ収納本体１に装着させる前作業として、電力ヒューズ把持本体２を電力ヒューズ収納本体１に入り込ませた状態で、突起部６０２a12（６０２b12）の半割面が上側となるように、電力ヒューズ把持本体２を持ち運ぶまでに第１の軸部材６０２ａ（６０２ｂ）を予め配置させておく。
【００５９】
電力ヒューズ把持本体２を例えば時計周りに回転させる場合、第１のガイド板６１２ａに形成された電力ヒューズ把持本体回転・直線移動用切り欠き６１２aaは、図４（Ｂ）に示すように左上がり方向に形成され、第２のガイド板６１２ｂに形成された電力ヒューズ把持本体回転・直線移動用切り欠き６１２bbは、図４（Ｃ）に示すように右下がり方向に形成されている。
【００６０】
電力ヒューズ把持本体２を電力ヒューズ収納本体１に装着させる際には、第１の軸部材６０２ａ（６０２ｂ）を内側寄りに変位させておき、図５に示すように、第１の軸部材６０２ａ（６０２ｂ）に形成された半割円柱の突起部６０２a12（６０２b12）を、第１のガイド板６１２ａ（６１２ｂ）に形成された電力ヒューズ把持本体回転・直線移動用切り欠き６１２aa（６１２bb）の開口部６１２aa1（６１２bb1）に入り込ませる。この初期状態では、第１のコイルバネ６０３ａ（６０３ｂ）が圧縮されているので、第１の軸部材６０２ａ（６０２ｂ）に外向きの付勢力が与えられており、突起部６０２a12（６０２b12）と台形状円錐体６０２a11 （６０２b11） の傾斜部との境界部で第１のガイド板６１２ａ（６１２ｂ）の内側を押している。すなわち、第１の軸部材６０２ａ（６０２ｂ）が第１のガイド板６１２ａ（６１２ｂ）の内側で拘束されている。また、第１の軸部材６０２ａ（６０２ｂ）の軸線が電力ヒューズ３の中心線の延長線に垂直に交わる面上を右上がりに傾斜している。さらに、トロイダルコイル状の可動側電極２０３が第１の固定側電極１０２ａの縁部で当接またはこの縁部に接近されており、このような状態になるように、第１の軸ガイド部材６１１（６１２）及び電力ヒューズ把持本体回転・直線移動用切り欠き６１２aa（６１２bb）の形状の少なくとも１つが設定されている。
【００６１】
この状態から電力ヒューズ把持本体２を電力ヒューズ３の中心線の延長線に対し、時計周りに回転させると、突起部６０２a12 （６０２b12）と台形状円錐体６０２a11（６０２b11） の傾斜部との境界部で第１のガイド板６１２ａ（６１２ｂ）の内側を押した状態で、突起部６０２a12（６０２b12）が電力ヒューズ把持本体回転・直線移動用切り欠き６１２aa（６１２bb）の平行状傾斜部６１２aa2（６１２bb2）に沿って係合しながら移動し、電力ヒューズ把持本体２は図６に示すように水平状態となる。
【００６２】
上記移動の際、トロイダルコイル状の可動側電極２０３が周方向に撓み、この可動側電極の直径が小さくなるので、変形した後の直径を第１の固定側電極１０２ａの内径よりも若干大きくなるようにしておけば、力を入れることなく、電力ヒューズ把持本体２を前進させることができ、撓んで変形した可動側電極２０３が固定側電極１０２ａに嵌まり込んだ状態で配置される。このような状態になるように、可動側電極２０３または固定側電極１０２ａの形状または配置が設定されている。
【００６３】
電力ヒューズ把持本体２が水平状態となった後、電力ヒューズ把持本体２を電力ヒューズ収納本体１にロックさせるために、電力ヒューズ把持本体２を押し込むと、図７に示すように、台形状円錐体６０２b11 の傾斜部が押さえ板５から遠ざかる側の第２の起立ガイド板６１１ｂの端部に当接する。
【００６４】
さらに押し込むと、上記当接している箇所で第１の起立ガイド板６１１ａ（６１１ｂ）の内側を押した状態で、この当接箇所が突起部６０２a12（６０２b12）と台形状円錐体６０２a11（６０２b11）の傾斜部との境界部方向へ移動する。それに伴って、第１の軸部材６０２ａ（６０２ｂ）がその軸線上を内側方向に移動し、この当接箇所が上記境界部に移動した時点で、第１の軸部材６０２ａ（６０２ｂ）は図８に示すように、境界部で第１のガイド板６１２ａ（６１２ｂ）の内側を押していた状態から第１の起立ガイド板６１１ａ（６１１ｂ）の内側を押す状態となり、この状態で電力ヒューズ把持本体ロック用切り欠き６１１aa（６１１bb）の平行状直線部６１１aa1（６１１bb1）に沿って係合しながら移動し、最終的に突起部６０２a12（６０２b12）が電力ヒューズ把持本体ロック用切り欠きの半円部６１１aa22（６１１bb22）の円弧部に突き当たる。
【００６５】
図８に示す状態では、第１の外側ハンドルロック用部材６０６ａ（６０６ｂ）が第１の軸部材６０２ａ（６０２ｂ）の軸線上を内側方向に、フリー状態（電力ヒューズ把持本体２を電力ヒューズ収納本体１に装着させる前の電力ヒューズ把持本体２の持ち運び状態を示す図３参照）から所定長さＬｓ移動している。
【００６６】
この所定長さＬｓは、フリー状態から突起部６０２a12（６０２b12）が電力ヒューズ把持本体回転・直線移動用切り欠き６１２aa（６１２bb）の開口部６１２aa1(６１bb1)に係合されているときのコイルバネの圧縮分と、この状態から突起部６０２a12(６０２b12)が電力ヒューズ把持本体回転・直線移動用切り欠きの平行状傾斜部６１２aa2(６１bb2)に沿って係合しながら移動し、電力ヒューズ把持本体２が水平状態となるまでの第１のコイルバネ６０３ａ（６０３ｂ）の圧縮分と、第１の起立ガイド板６１１ａ（６１１ｂ）の厚み分との合計になる。例えば、図３に示される状態での第１の外側ハンドルロック用部材６０６ａ（６０６ｂ）の第２の起立部６０６a2（６０６b2）の端面位置Ｌ１と、図８に示される状態での第１の外側ハンドルロック用部材６０６ａ（６０６ｂ）の第２の起立部６０６a2（６０６b2）の端面位置Ｌ２との差になる。
【００６７】
第１の外側ハンドルロック用部材６０６ａ（６０６ｂ）が所定長さＬｓ移動した時点で、ハンドル６０４の一端６０４ａ（他端６０４ｂ）と第１の外側ハンドルロック用部材６０６ａ（６０６ｂ）の例えば第２の起立部６０６a2（６０６b2）の内側面との係止状態が解除されるように、ハンドル６０４の一端６０４ａ（他端６０４ｂ）の内側面と第１の外側ハンドルロック用部材６０６ａ（６０６ｂ）の第２の起立部６０６a2（６０６b2）の端面との第１の軸部材６０２ａ（６０２ｂ）の軸方向分長さ（係止長さ）Ｌ（図３参照）は、ハンドル６０４の端部の厚み以上かつ上記所定長さＬｓよりも若干小さく設定されている。
【００６８】
上記のように設定すれば、突起部６０２a12（６０２b12）が電力ヒューズ把持本体ロック用切り欠き６１１aa（６１１bb）の半円部６１１aa22（６１１bb22）の円弧部に突き当たっている状態で、ハンドル６０４から手を離すと、ハンドルが第１の軸部材６０２ａ（６０２ｂ）の中心線の延長線周りに回動しながら自然落下し、それに伴って軸部材も回転（略１／４回転）するので、突起部６０２a12（６０２b12）の半割面が電力ヒューズ把持本体ロック用切り欠きの半径分直線部６１１aa21（６１１bb21）に突き当たり、突起部６０２a12（６０２b12）は図９に示すように、半円状部６１１aa2（６１１bb2）の切り欠きに嵌まり込んだ状態になる。
【００６９】
したがって、電力ヒューズ把持本体２が電力ヒューズ収納本体１に完全に収納され、可動側電極２０２が固定側電極１０２ａに完全に嵌まり込んだ状態で、電力ヒューズ把持本体２が電力ヒューズ収納本体１にロックされ、電力ヒューズ把持本体が電力ヒューズ収納本体から抜け出すことを防止できる状態を、ハンドルを手前に引いて１／４回転させ、電力ヒューズ把持本体２を引き抜くまで、持続させることができる。
【００７０】
上記係止状態が解除された後、ハンドル６０４から手を離した際に、電力ヒューズ把持本体２が電力ヒューズ収納本体１にロックされるように、電力ヒューズ把持本体ロック用切り欠き６１１aa（６１１bb）の平行状直線部６１１aa1（６１１bb1）の幅は、突起部６０２a12（６０２b12）の半径よりも若干大きく設定され、また、半円部６１１aa22（６１１bb22）の大きさは、突起部６０２a12（６０２b12）の横断面よりも若干大きく設定されている。
【００７１】
上記の実施形態では、可動側電極２０２が固定側電極１０２ａに完全に嵌まり込んだ後、電力ヒューズ把持本体２が電力ヒューズ収納本体１から抜け出すことを防止させるために、電力ヒューズ把持本体回転・直線移動機構と電力ヒューズ把持本体ロック機構とを設けているが、可動側電極２０２が固定側電極１０２ａに完全に嵌まり込んだ状態で、電力ヒューズ把持本体２が電力ヒューズ収納本体１から抜け出さないようにすると、電力ヒューズ把持本体回転・直線移動機構のみでよい。この場合、電力ヒューズ把持本体回転・直線移動用切り欠きは、終端が設けられた平行状傾斜部を有するようにする。また、突起部６０２a12（６０２b12）は半割円柱にする必要がなく、例えば円柱でよい。
【００７２】
また、電力ヒューズ把持本体２を時計周りに回転させたが、反時計周りに回転させる場合、第１のガイド板６１２ａに形成された電力ヒューズ把持本体回転・直線移動用切り欠き６１２aaは、左下がり方向に形成され、第２のガイド板６１２ｂに形成された電力ヒューズ把持本体回転・直線移動用切り欠き６１２bbは、右上がり方向に形成される。
【００７３】
さらに、第１の内側ハンドルロック用部材６０５ａ（６０５ｂ）は、コ字状に形成させたが、Ｌ字状に形成させてもよい。また、第１の外側ハンドルロック用部材６０６ａ（６０６ｂ）は、コ字状に形成させたが、単に平板でもよい。
【００７４】
また、電極押さえ部材２０２a3が円筒部２０２a1の開口側から脱落することを防止するために、２つのピン１１，１１を設けたが、電力ヒューズ３を電力ヒューズ把持本体２に取り付ける際に、電力ヒューズ把持本体２の電極把持部材２０２ａ側を下に向けないようにすれば、ピン１１，１１を設けなくてもよい。
【図面の簡単な説明】
【００７５】
【図１】（Ａ）は、本発明に係る電力用ヒューズホルダを構成するヒューズ収納本体の一実施形態を示す縦断面図、（Ｂ）は本発明に係る電力用ヒューズホルダを構成する電力ヒューズ把持本体の一実施形態を示す側面図である。
【図２】図１のＡ−Ａ線矢視図であり、（Ａ）は電力ヒューズの電極のネジ締付前の状態を示す図、（Ｂ）は電力ヒューズの電極のネジ締付後の状態を示すである。
【図３】（Ａ）は本発明に係る電力用ヒューズホルダを構成する電力ヒューズ把持本体に設けられる電力ヒューズ把持本体機構の可動部の正面図、（Ｂ）はその左側面図である。
【図４】（Ａ）は本発明に係る電力用ヒューズホルダを構成する電力ヒューズ収納本体に設けられる電力ヒューズ把持本体機構の固定部の正面図、（Ｂ）はその左側面図、（Ｃ）はその右側面図である。
【図５】（Ａ）は本発明に係る電力用ヒューズホルダを構成する電力ヒューズ把持本体に設けられる電力ヒューズ把持本体機構の可動部を電力ヒューズ把持本体機構の固定部に結合させ、電力ヒューズ把持本体が電力ヒューズ収納本体に装着された初期状態を示す正面図、（Ｂ）はその状態の突起部の位置を示す左側面図、（Ｃ）はその状態の突起部の位置を示す右側面図である。
【図６】（Ａ）は本発明に係る電力用ヒューズホルダを構成する電力ヒューズ把持本体が回転された状態を示す正面図、（Ｂ）はその状態の突起部の位置を示す左側面図、（Ｃ）はその状態の突起部の位置を示す右側面図である。
【図７】（Ａ）は電力ヒューズ把持本体機構の可動部を構成する第２の軸部材が電力ヒューズ把持本体回転・直線移動用切り欠きから移動して電力ヒューズ把持本体ロック用切り欠きに当接した状態を示す上面図、（Ｂ）はその正面図である。
【図８】（Ａ）は電力ヒューズ把持本体機構の可動部を構成する軸部材が電力ヒューズ把持本体ロック用切り欠きを移動完了した状態を示す正面図、（Ｂ）はその状態の突起部の位置を示す左側面図、（Ｃ）はその状態の突起部の位置を示す右側面図である。
【図９】（Ａ）は電力ヒューズ把持本体機構の可動部を構成する軸部材が電力ヒューズ把持本体ロック用切り欠きを移動完了して電力ヒューズ把持本体が電力ヒューズ収納本体にロックされた状態を示す正面図、（Ｂ）はその状態の突起部の位置を示す左側面図、（Ｃ）はその状態の突起部の位置を示す右側面図である。
【図１０】（Ａ）は従来の電力用ヒューズホルダを構成するヒューズ収納本体の縦断面図、（Ｂ）は電力用ヒューズホルダを構成する電力ヒューズ把持本体の側面図である。
【符号の説明】
【００７６】
１  電力ヒューズ収納本体
２  電力ヒューズ把持本体
３  電力ヒューズ
３ａ  電極
５  押さえ板
６  電力ヒューズ把持本体回転・直線移動機構（電力ヒューズ把持本体機構）
６０  可動部
６１  固定部
１０１  円筒部材
１０２ａ  固定側電極
２０２ａ  電極把持部材
２０２a1  円筒部
２０２a11  ネジ孔
２０２a3  電極押さえ部材
２０３  可動側電極
２０４  蓋部材
６０１ａ  第１の軸支持部材
６０１ｂ  第２の軸支持部材
６０１a1，６０１b1  第１の起立部
６０１a2，６０１b2  第２の起立部
６０２a1，６０２b1  頭部
６０２a2，６０２b2  軸部
６０２a11，６０２b11  台形状円錐体
６０２a12，６０２b12  突起部
６０２a21，６０２b21  円柱部
６０２a22，６０２b22  略四角柱部
６０２ａ  第１の軸部材
６０２ｂ  第２の軸部材
６０３ａ  第１のコイルバネ
６０３ｂ  第２のコイルバネ
６０４  ハンドル
６０４ａ  ハンドルの一端
６０４ｂ  ハンドルの他端
６０５ａ  第１の内側ハンドルロック用部材
６０５ｂ  第２の内側ハンドルロック用部材
６０５a0，６０５b0  軸部材止め部
６０５a2，６０５b2  軸支持部材係止部
６０６ａ  第１の外側ハンドルロック用部材
６０６ｂ  第２の外側ハンドルロック用部材
６１１  第１の軸ガイド部材
６１１ａ  第１の起立ガイド板
６１１ｂ  第２の起立ガイド板
６１１aa，６１１bb  電力ヒューズ把持本体ロック用切り欠き
６１１aa2，６１１bb2  半円状部
６１１aa21，６１１bb21  半径分直線部
６１１aa22，６１１bb22  半円部
６１２  第２の軸ガイド部材
６１２ａ  第１のガイド板
６１２ｂ  第２のガイド板
６１２aa，６１２bb  電力ヒューズ把持本体回転・直線移動用切り欠き
６１２aa2，６１２bb2  平行状傾斜部
【図１】
0004685725.tif 000002
【図２】
0004685725.tif 000003
【図３】
0004685725.tif 000004
【図４】
0004685725.tif 000005
【図５】
0004685725.tif 000006
【図６】
0004685725.tif 000007
【図７】
0004685725.tif 000008
【図８】
0004685725.tif 000009
【図９】
0004685725.tif 000010
【図１０】
0004685725.tif 000011